(57)【要約】  ビデオ情報及び埋め込まれた文字多重放送ページデータを含みユーザ命令に従い選択されるチャネルに属する信号を取得するように構成されるチャネル選択回路と、受信された前記信号に埋め込まれた前記文字多重放送ページデータを抽出するように構成された文字多重放送取得回路との配置から受信される文字多重放送ページデータをキャッシュする方法が提供される。経過時間のカウントは、第１選択チャネルから第２選択チャネルへの切り替えに関するユーザ命令が発行されたと決定すると開始される。メモリユニットにおける受信文字多重放送ページデータの記憶は、前記カウントが特定の時間間隔を越える場合に開始される。前記経過時間のカウントは、前記第２選択チャネルから他の如何なる選択チャネルへの切り替えをするユーザ命令が発行されたことが決定される場合に、０から再開される。
2006528856.tif 000002
【特許請求の範囲】
【請求項１】
ビデオ情報及び埋め込まれた文字多重放送ページデータを含みユーザ命令に従い選択されるチャネルに属する信号を取得するように構成されるチャネル選択回路と、受信された前記信号に埋め込まれた前記文字多重放送ページデータを抽出するように構成される文字多重放送取得回路との配置から受信される文字多重放送ページデータをキャッシュする方法であって、経過時間のカウントが、第１選択チャネルから第２選択チャネルへの切り替えに関するユーザ命令が発行されたと決定すると開始され、受信される文字多重放送ページデータのメモリユニットへの記憶が、前記カウントが特定の時間間隔を越える場合に開始される方法において、
前記経過時間のカウントが、前記第２選択チャネルから他の如何なる選択チャネルへの切り替えをするユーザ命令が発行されたことが決定される場合に、０から再開されることを特徴とする方法。
【請求項２】
受信された文字多重放送ページデータを、前記メモリユニットに以前に記憶された文字多重放送に並べて、前記メモリユニットへ記憶するのを開始するステップを含む、請求項１に記載の方法。
【請求項３】
記憶される文字多重放送ページデータを、該文字多重放送ページデータが抽出された前記信号に属する前記チャネルの識別子にリンクする情報を記憶するステップを含む、請求項１及び２の何れか一項に記載の方法。
【請求項４】
前記メモリユニットの最大記憶容量が小さ過ぎるので、受信される文字多重放送ページデータのユニットを前記メモリユニットに以前に記憶された文字多重放送ページデータに並べて前記メモリユニットに記憶するのを許可することが可能でないと決定される場合にのみ、以前に記憶された文字多重放送ページデータを削除するステップを含む、請求項２及び３の何れか一項に記載の方法。
【請求項５】
前記以前に記憶された文字多重放送ページデータの一部のみを削除するステップを含む、請求項４に記載の方法。
【請求項６】
特定の中断命令がユーザによって発行されたと決定すると、受信される文字多重放送ページデータを前記メモリユニットに記憶するのを、前記カウントが前記特定の時間間隔を越える前に開始するステップを含む、請求項１ないし５の何れか一項に記載の方法。
【請求項７】
ビデオ情報及び埋め込まれた文字多重放送ページデータを含みユーザ命令に従い選択されるチャネルに属する信号を取得するように構成されるチャネル選択回路と、受信される前記信号に埋め込まれた前記文字多重放送ページデータを抽出するように構成された文字多重放送取得回路との配置から文字多重放送ページデータを受信するように構成され、受信された文字多重放送ページデータをキャッシュするメモリユニットを具え、請求項１ないし６の何れか一項に記載の方法を実施するように特別に適合される文字多重放送受信器システム。
【請求項８】
ビデオ情報及び埋め込まれた文字多重放送ページデータを含みユーザ命令に従い選択されるチャネルに属する信号を取得するように構成されるチャネル選択回路と、受信された前記信号に埋め込まれた前記文字多重放送ページデータを抽出するように構成された文字多重放送取得回路と、前記文字多重放送取得回路によって抽出された文字多重放送ページデータをキャッシュするメモリユニットと、制御器とを具え、請求項１ないし６の何れか一項に記載の方法を実施するように特別に適合される、好ましくはテレビ受像機である、電子ビデオ機器。
【請求項９】
プログラム可能な装置において実行される場合に、前記プログラム可能な装置が請求項１ないし６の何れか一項に記載の方法を実施するのを可能にする手段を有する計算機プログラム。
【発明の詳細な説明】
【技術分野】
【０００１】
本発明は、ビデオ情報及び埋め込まれた文字多重放送ページデータを含みユーザ命令に従い選択されるチャネルに属する信号を取得するように構成されるチャネル選択回路と、受信された前記信号に埋め込まれた前記文字多重放送ページデータを抽出するように構成された文字多重放送取得回路との配置から受信される文字多重放送ページデータをキャッシュ(cache)する方法であって、経過時間のカウントが第１選択チャネルから第２選択チャネルへの切り替えに関するユーザ命令が発行されたと決定すると開始され、メモリユニットにおける受信文字多重放送ページデータの記憶が、前記カウントが特定の時間間隔を越える場合に開始される方法に関する。
【０００２】
本発明は、ビデオ情報及び埋め込まれた文字多重放送ページデータを含みユーザ命令に従い選択されるチャネルに属する信号を取得するように構成されるチャネル選択回路と、受信された前記信号に埋め込まれた前記文字多重放送ページデータを抽出するように構成される文字多重放送取得回路との配置から文字多重放送ページデータを受信するように構成され文字多重放送受信器システムであって、受信文字多重放送ページデータをキャッシュするメモリユニットを備える文字多重放送受信器システムにも関する。
【０００３】
本発明は、更に、ビデオ情報及び埋め込まれた文字多重放送ページデータを含みユーザ命令に従い選択されるチャネルに属する信号を取得するように構成されるチャネル選択回路と、受信された前記信号に埋め込まれる前記文字多重放送ページデータを抽出するように構成された文字多重放送取得回路と、前記文字多重放送取得回路によって抽出された文字多重放送ページデータをキャッシュするメモリユニットと、制御器とを具える、好ましくはテレビ受像機である、電子ビデオ機器に関する。
【０００４】
本発明は、計算機プログラムにも関する。
【背景技術】
【０００５】
上述のタイプの方法、文字多重放送受信器システム及び電子ビデオ機器の例は、日本国特許出願公開第7184172号から既知である。
【０００６】
前記既知の例において、受信されたテレビチャネル番号データが、制御手段によって参照され、そしてテレビチャネルの切り替えが判別される場合、バッファメモリに記憶されるチャネル番号を暫定的に記憶するメモリ手段のチャネル番号は、切り替えされたチャネル番号と比較される。これらが異なる場合、時間カウンタ手段は、所定の時間をカウントするように用いられ、切り替えされたチャネルが所定の時間内に元のテレビチャネルに戻る場合、バッファメモリに記憶されたテレビチャネルの文字多重放送データは、記憶されたままに保持される。時間カウンタの並べられたデータが、０として用いられる状態にある場合、メモリに記憶された文字番組データの消去処理が実行され、新たに文字多重放送データをバッファメモリに記憶する処理が実行される。
【０００７】
既知の方法は、変わらずに視聴されるチャネルに属するページが、所定時間が経過した後で、上述の特定の時間点において短い視聴のために偶々選択されていたチャネルに属するページに関して空き場所を作るために削除され得るという不利な点を有する。
【発明の開示】
【発明が解決しようとする課題】
【０００８】
本発明の目的は、継続して視聴されるチャネルに属するキャッシュされた文字多重放送ページデータの損失と、短時間にのみユーザによって確認されるチャネルに属する新たに到着したページデータによる該文字多重放送ページデータの置換とを防ぐのを促進する方法、文字多重放送受信器システム、電子ビデオ機器及び計算機プログラムを提供することである。
【課題を解決するための手段】
【０００９】
この目的は、経過時間のカウントが、第２選択チャネルから他の如何なる選択チャネルへの切り替えをするユーザ命令が発行されることが決定される場合に、０から開始されることを特徴とする、本発明に従う方法によって達成される。
【００１０】
特に、経過時間のカウントは、第２選択チャネルから第１選択チャネル以外の選択チャネルへの切り替えをするユーザ命令が発行されることが決定される場合も、０から再開される。したがって、継続するチャネルからチャネルへの切り替え、すなわち「ザッピング」(zapping)とも知られるユーザの行動は、偶々選択されたチャネルに属する文字多重放送ページデータの欠如に導かない。当該方法は、ユーザが視聴するのに落ち着いたチャネルに属する文字多重放送ページデータのみがキャッシュされることを確実にする。したがって、視聴者の永続的なお気に入りであるチャネルに属する文字多重放送ページデータがメモリにキャッシュされる可能性は増加される。このことは、視聴者が、該チャネルに供給される文字多重放送サービスを利用しようと決めた場合の遅延(latancy)を回避する。
【００１１】
当該方法は、好ましくは、受信された文字多重放送ページデータを、メモリユニットに以前に記憶される文字多重放送に並べて、メモリユニットに記憶するのを開始するステップを含む。
【００１２】
したがって、例えば、視聴者が他のチャネルに供給される番組を通してスキャンした後で第１選択チャネルに戻る場合、第１選択チャネルに属する文字多重放送ページデータのキャッシュは、初めから再開する必要はない。該チャネルに属する少なくともいくらかの文字多重放送ページデータは、メモリユニットに依然キャッシュされ得る。更に、このことは、視聴者がこのチャネルに供給される文字多重放送サービスを利用すると決める場合に経験する遅延の可能性を減らす。
【００１３】
好適な実施例は、記憶される文字多重放送ページデータを、該文字多重放送ページデータが抽出された信号に属するチャネルの識別子にリンクする情報を記憶するステップを含む。
【００１４】
したがって、別々のチャネルに属する信号に元々埋め込まれていた文字多重放送ページデータを同時に記憶することが可能である。このことは、特に、受信文字多重放送ページデータの記憶が開始するときに、受信文字多重放送ページデータが属するチャネル以外の別のチャネルに属する文字多重放送ページデータが、メモリユニットにおいて既に記憶される場合に、メモリユニットの内容を完全に消去する必要性を取り除く。
【００１５】
本発明の好適な実施例は、メモリユニットの最大記憶容量が小さ過ぎるので、受信された文字多重放送ページデータのユニットを、メモリユニットに以前に記憶された文字多重放送ページデータに並べてメモリユニットに記憶するのを許可することが出来ないと決定される場合にのみ、以前に記憶された文字多重放送ページデータを削除するステップを含む。
【００１６】
したがって、メモリユニットに記憶される文字多重放送ページデータの量は、１つ又は複数のチャネル切り替えが行われた直後に、可能な限り大きく保たれる。このことは、所望の文字多重放送ページを符号化するデータが依然としてメモリユニットに存在する可能性を増加し、これにより遅延が発生され得る可能性を低減する。
【００１７】
当該方法は、好ましくは、特定の中断命令がユーザによって発行されたと決定すると、受信文字多重放送ページデータをメモリユニットに記憶するのを、カウントが特定の時間間隔を越える前に開始するステップを含む。
【００１８】
中断命令は、ユーザが、特定の時間間隔の終了の前に、特定のチャネルに落ち着いたことを示すのに用いられ得る。このことは、この特定のチャネルに属する信号に埋め込まれた文字多重放送ページデータのキャッシュステップの早めの開始を可能にする。したがって、ユーザがこのチャネルに供給される文字多重放送サービスを利用することを決める場合に、このチャネルに関するより多くのキャッシュされる文字多重放送ページデータが利用可能である。
【００１９】
本発明の別の態様に従うと、本発明に従う文字多重放送受信器システムは、本発明に従う方法を実施するのに特別に適合される。
【００２０】
当該文字多重放送受信器システムのユーザは、メモリユニットの記憶容量がより効果的に使用されるので、より少ない遅延を経験し得る。長時間の間にわたり継続的に視聴されるチャネルに属する信号において元々埋め込まれた文字多重放送ページデータのみが、メモリユニットに記憶される。ほんの一瞬選択されたチャネルに属する文字多重放送ページデータは、キャッシュ処理において軽視される。
【００２１】
本発明の別の態様に従うと、本発明に従う方法を実施するように特別に適合される、ビデオ情報及び埋め込まれた文字多重放送ページデータを含みユーザ命令に従い選択されるチャネルに属する信号を取得するように構成されるチャネル選択回路と、受信された前記信号に埋め込まれた前記文字多重放送ページデータを抽出するように構成された文字多重放送取得回路と、前記文字多重放送取得回路によって抽出された文字多重放送ページデータをキャッシュするメモリユニットと、制御器とを具える、好ましくはテレビ受像機である電子ビデオ機器が提供される。
【００２２】
ビデオレコーダ、ＤＶＤプレーヤ又は適切に装備されたパーソナルコンピュータでもあり得る斯様なビデオ機器は、延長時間間隔にわたり視聴されるチャネルに属するより多くの文字多重放送ページデータがキャッシュされるのを可能にする。したがって、視聴者が、該チャネルに属する文字多重放送ページを視聴することを選択する場合、遅延が発生される可能性は低減される。
【００２３】
本発明の更なる態様に従うと、プログラム可能な装置において実行される場合に、該プログラム可能な装置が本発明に従う方法を実施するのを可能にする手段を有する計算機プログラムが提供される。
【００２４】
本発明のこれら及び他の態様は、以下に記載の実施例から明らかであり、これら実施例を参照にして説明される。
【００２５】
本発明は、添付図面を参照にして更に詳細に説明される。
【発明を実施するための最良の形態】
【００２６】
図１に概略的に示されるテレビシステムにおいて、無線周波数信号は、テレビ受像機の入力１において受信される。受信信号は、ＲＦ増幅器２を介して同調回路３へ通過する。同調回路３は、テレビチャネルに関連付けられる特定の搬送波周波数に同調する。したがって、前記同調回路は、該チャネルに属する信号を取得し、すなわち複数のチャネルのうちの１つに属する信号を選択する。同調回路３の出力信号は、復調回路４に渡される。復調回路４は、ビデオ、音声及び文字多重放送成分を搬送波信号から分離する。色復号器５は、ビデオ成分を取得し処理する。文字多重放送データ獲得回路６は、文字多重放送ページデータを取得する。
【００２７】
示されるテレビシステムは、本発明が実施され得る様々な可能な電子ビデオ機器の１つにすぎないことが確認される。他の例は、例えば光学読み出し／書き込み駆動装置及び／又はテレビチューナカードを具備するビデオレコーダ、ＤＶＤ(digital  versatile  disc)レコーダ及びパーソナルコンピュータである。これら実施例のいくつかにおいて、チャネルは、必ずしも放送チャネルに対応する必要はなく、例えばＤＶＤのような記憶媒体におけるチャネルでもあってもよい。したがって、本発明の意味におけるチャネル選択回路は、ＤＶＤから読み出された信号のような、ビデオ及び埋め込まれた文字多重放送ページデータを有する代替信号供給源を選択する回路選択を具え得る。加えて、チャネルに属する信号は、本発明の文脈において、特定の番組に属するように識別されるデジタルデータパケットのストリームでもあり得、ビデオデータを含む基本ストリームに属するデータパケットは、文字多重放送ページデータを含む基本ストリームを形成するデータパケットとインターリーブされ得ることが特記される。そして基本ストリームの混合物は、番組ストリームとして、すなわち文字多重放送ページデータがそこに埋め込まれた信号として見なされるべきである。
【００２８】
例に戻ると、図１のテレビシステムは、マイクロコントローラ７によって制御され、マイクロコントローラ７は、既知の種類の読み出し専用メモリ８に記憶される命令を実行する。更に、前記マイクロコントローラは、テレビ受像機の電源がオフになっている場合に消去されてはならないデータを記憶する不揮発性メモリ９へのアクセスを有する。命令及びデータは、マイクロコントローラ７と、例えばＩ２Ｃバスであるバス１０を介した制御の下に動作する様々な成分との間において転送される。
【００２９】
テレビシステムのユーザは、リモートコントロールインターフェイス回路１１とデータを交換するリモートコントロールユニット（図示せず）を介して命令を入力する。命令は、バス１０を介してマイクロコントローラ７へと渡される。
【００３０】
視聴者が入力し得る命令の１つは、チャネルを切り替える命令である。この命令は、同調回路３に別の搬送波周波数に同調するように指示する、マイクロコントローラ７から同調回路３への命令になる。
【００３１】
複数のチャネルが、プリセットされ得る。これを実現するために、チャネルリスト１２（図２を参照）が、不揮発性メモリ９に記憶される。チャネルリスト１２は、テーブルとして、図２に概念的に示され、第１列１３は、テーブルの索引、すなわちプレセットされたチャネルの数を含む。第２列１４は、同調情報を含む。第３列１５における情報は、チャネルの順位付けを確立するのに用いられ、キャッシュ置き換え方針を実施するために、以下に簡単に記載され、「Method  of  caching  teletext  page  data,  teletext  receiver  system  and  television  set」と題される本出願人により2003年6月20日に出願された同時係属中の欧州特許出願第03101818.7号（出願人整理番号PHNL030700）において更に詳細に記載される。
【００３２】
図１に戻ると、文字多重放送が視聴されていない場合、色復号器５の出力は、マルチプレクサ１６に渡され、前記出力を、ビデオ表示ユニット１８を駆動するビデオ増幅器１７に変更なく渡される。ビデオ表示ユニット１８は、例えば陰極線管又はプラズマディスプレイユニットであり得る。リモートコントロールユニットは、文字多重放送ページが表示部１９によって発生されるモードに切り替える命令を発行するボタンを具備し、表示部１９は、文字多重放送メモリ２０にロードされる文字多重放送ページデータを復号化する。選択チャネルの文字多重放送サービスが用いられているモードにおいて、表示部１９によって発生される出力は、マルチプレクサ１６によって用いられ、色復号器５によって供給されるビデオ信号の一部（字幕の場合）又は全てを置き換える。
【００３３】
文字多重放送ページデータは、カルーセルにおいて送信され、これは、特定時間量が、文字多重放送サービスにおける第１ページを符号化する文字多重放送ページデータの受信と、更なるページを符号化する文字多重放送ページデータの受信との間において経過することを意味する。当該テレビシステムは、特定のページを選択する視聴者実施の命令への素早い応答を提供するのを可能にするために、文字多重放送ページデータキャッシュ２１を有する。特定のページに関するリクエストがリモートコントロールインターフェイス回路１１を介して受信される場合、文字多重放送ページデータキャッシュ２１は、初めに、リクエストされたページに関して検索される。該ページが発見される場合、該ページは、表示するために文字多重放送メモリ２０へ転送される。そうでない場合、リクエストされたページを符号化する文字多重放送ページデータは、同調回路３及び復調回路４によって供給されると直ぐに、文字多重放送データ獲得回路６から供給される必要がある。
【００３４】
選択チャネルの文字多重放送サービスが用いられているかどうかに関わらず、現在の選択チャネルに属する信号から抽出された文字多重放送ページデータは、原則として、文字多重放送ページデータキャッシュ２１に記憶される。しかし、本発明を用いると、この原則は、現在の選択チャネルが長期間にわたり選択されていたチャネルであると決定される場合にのみ守られることが保証される。したがって、斯様なチャネルに関して、可能な限り多量の文字多重放送ページデータがキャッシュされることが保証される。一方で、ほんの一瞬だけ選択されるチャネルに属する文字多重放送ページデータは、文字多重放送ページデータキャッシュ２１において全くスペースを占めることを許されない。
【００３５】
図３は、本発明に関連する限りにおいて、図１のテレビシステムが通過する様々な状態を示す。第１状態２２において、第１チャネルは、視聴者によって選択されている。視聴者は、放送ビデオ情報を視聴しているか、又はテレビシステムが文字多重放送モードであるかの何れかであり得る。復調回路によって出力される信号に元々埋め込まれていて、現在の選択チャネルに属する受信された文字多重放送ページデータは、始終、文字多重放送ページデータキャッシュに記憶される。
【００３６】
視聴者が第１チャネルから第２チャネルへ切り替える命令をリモートコントロールユニットを介して発行する場合、この命令は、リモートコントロールインターフェイス１１によってマイクロコントローラ７へ渡される。第１チャネルから第２チャネルへ切り替える命令は、テレビシステムをタイミング状態２３に移動する引き金として作動する。第１チャネルから第２チャネルへの切り替えに関するユーザ命令が発行されたと決定すると、テレビシステムは、状態２４に入り、カウンタを０に設定することにより経過時間のカウントが開始される。後続の状態２５において、カウントは、例えば時間基準を提供するマイクロコントローラ７のクロック周波数を用いて漸進的に増加される。
【００３７】
例示される実施例において、テレビシステムが、スイッチをオンに保たれる場合、カウントが漸進的に増加される状態２５は、３つの方法で退出され得る。第１に、ユーザが、第２チャネル以外のチャネル、すなわち第１チャネル又は第３チャネルへ切り替える命令を発行する場合、テレビシステムは、経過時間のカウンタが０へと戻して設定される状態２４に戻る。したがって、第２選択チャネルから他の如何なる選択チャネルへ切り替えるユーザ命令は、経過時間を０から再開することになる。
【００３８】
第２に、カウントが特定の時間間隔Δｔを超過する場合、経過時間のカウントが漸進的に増加される状態２５から退出される。そしてテレビシステムは、受信文字多重放送ページデータがキャッシュされる状態２２に戻る。キャッシュ処理は、以下に更に詳細に説明される。キャッシュされる文字多重放送ページデータは、タイミング状態２３が残された時間点において選択される（及びしたがって、チャネルの選択が、状態２４に入る引き金として作動するので、カウントが最後に０に設定された時間点においても選択される）チャネルに属する信号において埋め込まれた文字多重放送であることが特記される。
【００３９】
タイミング状態２３は、示される実施例において、特定の中断命令がユーザによって発行されたと決定される場合にも、経過時間のカウントがΔｔを超過する前に退出され得る。好適な実施例において、中断命令は、実際には、リモートコントロールユニットにおける文字多重放送ボタンを押すことによって生じる命令である。この命令は、文字多重放送ページが直ちに表示されなければならないという信号を、マイクロコントローラ７に送信する。またこの命令は、現在の選択チャネルに属する信号に埋め込まれたページデータが直ちにキャッシュされなければならないという信号も、マイクロコントローラ７に送信する。したがって、より多くのページデータが文字多重放送ページデータキャッシュ２１において利用可能であり、また文字多重放送ページデータは、文字多重放送ページデータ２１から文字多重放送メモリ２０への転送用にも取得されていることが保証される。
【００４０】
図３に示される実施例における、テレビシステムが状態２２にある場合に文字多重放送ページデータがキャッシュされる仕方が、以下に簡単に説明される。代替態様は可能であり、上部における同時係属中の同特許出願において更に詳細に説明される。
【００４１】
本発明の有利な特徴は、受信文字多重放送ページデータが、少なくとも新たに選択されるチャネルに関する記憶が開始する場合に、文字多重放送ページデータキャッシュ２１に以前に記憶された文字多重放送ページデータに並べて文字多重放送ページデータキャッシュに記憶されることである。したがって、第２チャネルに属するデータをキャッシュする場合、前記データは、第１の、以前に選択されたチャネルに属するデータに並べて記憶される。このことは、第１チャネルに属するデータのいくらかは依然存在し得るので、文字多重放送ページデータが表示される場合に、遅延が発生する可能性が低減されている、第１チャネルへの後々の復帰を可能にする。
【００４２】
文字多重放送ページデータは、例えば、必ずしもそうではないが、文字多重放送サービスにおける１つのページを符号化するデータに対応するユニットで、文字多重放送データ獲得回路６から文字多重放送ページデータキャッシュ２１へ渡されることが仮定され得る。したがって、ユニットに関するページデータが、第１状態２６において取得される。その後、文字多重放送ページデータキャッシュ２１の最大記憶容量は、受信されたデータユニットを、既に存在する文字多重放送ページデータに並べて記憶するのが可能なほどに十分であるかが決定される。文字多重放送ページデータキャッシュ２１が、未だ満ちていない場合、文字多重放送ページデータの受信されたユニットは、文字多重放送ページデータキャッシュ２１に書き込まれ、この間、テレビシステムは、キャッシュ書き込み状態２７にある。
【００４３】
別々のチャネルに属する文字多重放送ページデータが文字多重放送ページデータキャッシュ２１に共に記憶され得るので、記憶される文字多重放送ページデータを、該文字多重放送ページデータが抽出された信号が属するチャネルの識別子にリンクする情報も、記憶される。このことは、いくつかの仕方で実行され得るが、図２に示される１つの仕方は、チャネルタグ２８を文字多重放送ページを符号化する文字多重放送ページデータ２９の各ユニットに加えることである。本発明の例示される実施例において、時間スタンプ３０も、文字多重放送ページデータ２９のユニットにタグ付けされる。時間スタンプは、文字多重放送ページデータ２９のユニットが最後に文字多重放送ページデータキャッシュ２１から取得された時間を表す。
【００４４】
図３に戻ると、文字多重放送ページデータキャッシュ２１の最大記憶容量が小さ過ぎて、受信された文字多重放送ページのユニットを、既に存在する文字多重放送ページデータに並べて記憶するのを許可することが可能でないと決定される場合に、以前に文字多重放送ページデータキャッシュ２１に書き込まれたデータが削除される。有利には、以前に記憶されたページデータの一部のみが、すなわち受信された文字多重放送ページデータのユニットに関してスペースを作るのにちょうど十分な部分のみが削除される。このことは、文字多重放送ページデータキャッシュ２１が、可能な最大の程度にまで常に使用されることを保証する。
【００４５】
どのデータを削除するかを決定するために、記憶された文字多重放送ページデータを該文字多重放送ページデータが抽出された信号が属するチャネルの識別子にリンクする情報を用いて、現在の選択チャネル以外の何れかの他のチャネルに属するデータが存在するかが初めに決定される。上記が当てはまらない場合、テレビシステムは、現在の選択チャネルが属する文字多重放送ページデータのユニットが削除される状態３１に入る。時間スタンプ３０を用いて、最も古いページを符号化するデータが削除される。当該処理は、受信されるページデータを記憶する十分なスペースが存在するまで反復される(状態27)。
【００４６】
現在の選択チャネルとは異なるチャネルに属する信号から元々抽出された文字多重放送ページデータが、文字多重放送ページデータキャッシュ２１に存在することも決定され得る。この場合、テレビシステムは、ページデータが削除されるべきチャネルが選択される状態３２に移動する。このことは、チャネルリスト１２の第３列１５における情報を用いて実行される。この情報は、例えば、各チャネルが選択される周波数に従い、又は各チャネルが最後に選択された時間に従い、チャネルの順位付けを確立する。最低順位チャネルに属する信号から元々抽出されるページデータは、該データのいくらかが削除される状態３３の前の状態３２において選択される。示される実施例において、時間スタンプ３０は、ここにおいても、最低順位チャネルに属するページの最も古いものを符号化する文字多重放送ページデータを削除するのにも用いられる。
【００４７】
本発明は、記載される実施例に制限されず、添付の請求項の範囲内において多数の手法で変更され得る。したがって、例えば、図３において示される状態は、キャッシュステップが、チャネルを切り替えるユーザ命令の発行が発行された以降に経過時間のカウントの間において継続され得る点において、相互に排他的ではない。
【００４８】
上述の実施例は、本発明を制限するものよりもむしろ例証するものであり、当業者が、添付の請求の範囲から逸脱することなく、多数の代わりの実施例を設計することが可能であることを注意しなければならない。請求項において、括弧記号間に位置される如何なる参照符号も、請求項を制限するように解釈されてはならない。「有する」という語句は、請求項に記載される以外の要素又はステップの存在を排除しない。単数形の構成要素は、複数個の斯様な構成要素の存在を排除しない。本発明は、いくつかの個別の構成要素を有するハードウェアを用いて、及び適切にプログラムされた計算機を用いて実施され得る。いくつかの手段を列挙している装置請求項において、これらの手段のいくつかは１つの同じハードウェアの項目によって、実施化することが可能である。特定の手段が、相互に異なる従属請求項において引用されているという単なる事実は、これらの手段の組み合わせが有利になるように使用されていることができないと示すものではない。
【００４９】
したがって、例えば、本発明に従う方法は、テレビチューナ及び文字多重放送データ獲得回路に動作可能なように接続される、例えばパーソナルコンピュータのような計算機によっても実施され得る。後者は、計算機にインストールされたチューナカードに、又は例えばＵＳＢ接続を用いて計算機に接続される外部チューナにインストールされ得る。当該方法は、この設定で、以上において更に詳細に説明された実施例において達成されるのと同一の有利な点を達成するために、チューナ又はパーソナルコンピュータのメモリ回路において文字多重放送ページデータのキャッシュ処理を管理するのに用いられ得る。
【図面の簡単な説明】
【００５０】
【図１】図１は、例として、本発明を実施するように備えられるテレビ受像機を例示するブロック図を示す。
【図２】図２は、図１に例示されるテレビ受像機のメモリユニットに記憶されるデータの組織化を概略的に示す。
【図３】図３は、本発明の方法の実施例を例示する状態チャート図である。
【図１】
2006528856.tif 000003
【図２】
2006528856.tif 000004
【図３】
2006528856.tif 000005
【国際調査報告】
2006528856.tif 000006
2006528856.tif 000007